(57)【要約】      （修正有）【課題】水平方向に排水する横置き型と垂直方向に排水する縦置き型との両方に適用することができ、しかも、部品数が少なく低コストにて製造可能な防臭・防虫逆止弁を提供する。【解決手段】排水管と排水管との間に接続されるほぼ筒状の本体ケース１と、その内部に配置された回動可能な弁本体６と、本体ケース１に取り付けられて弁本体６を着脱可能とするカバー８とを備え、弁本体６により、排水管から排水管に向かう方向の排水の逆流、悪臭または虫・小動物の侵入を阻止する機能を備えた防臭・防虫逆止弁において、排水管の配置に応じて、本体ケース１の軸心が水平方向を向く横置き型または垂直方向を向く縦置き型の何れにも適用可能とし、かつ、少なくとも本体ケース１及びカバー８を透明の合成樹脂により形成する。【選択図】図１
0003223343.tif 000002
【実用新案登録請求の範囲】
【請求項１】
流入側排水管と流出側排水管との間に接続されるほぼ筒状の本体ケースと、この本体ケースの内部に配置されて前記流入側排水管からの排水を前記流出側排水管方向へ流すように形成された回動可能な弁本体と、前記本体ケースに取り付けられて前記弁本体を着脱可能とするカバーと、を備え、
前記弁本体により、前記流出側排水管から前記流入側排水管に向かう方向の悪臭や虫・小動物の侵入を阻止する機能を備えた防臭・防虫逆止弁において、
前記流入側排水管及び前記流出側排水管の配置に応じて、前記本体ケースの軸心が水平方向を向く横置き型または前記軸心が垂直方向を向く縦置き型の何れにも適用可能とし、
かつ、少なくとも前記本体ケース及び前記カバーを透明の合成樹脂により形成したことを特徴とする防臭・防虫逆止弁。
【請求項２】
請求項１に記載した防臭・防虫逆止弁において、
前記弁本体は、回動の中心となる支持軸を有する基部と、この基部に連設された舌部と、を備え、
前記基部は肉抜き用の通孔を有することを特徴とする防臭・防虫逆止弁。
【請求項３】
請求項１または２に記載した防臭・防虫逆止弁において、
前記流入側排水管から流入する排水が当たる前記舌部の一面の全周に、リブを形成したことを特徴とする防臭・防虫逆止弁。
【請求項４】
請求項３に記載した防臭・防虫逆止弁において、
前記舌部の一面の反対側の面の下端部に、補強用の別のリブを形成したことを特徴とする防臭・防虫逆止弁。
【考案の詳細な説明】
【技術分野】
【０００１】
本考案は、空調機や厨房機器等の排水管の途中に設置されて一方向の排水を可能にすると共に、汚水による悪臭や虫・小動物の侵入を阻止するようにした防臭・防虫逆止弁に関するものである。
【背景技術】
【０００２】
この種の逆止弁として、例えば特許文献１や特許文献２に記載された排水用トラップが知られている。
まず、図６は、特許文献１に記載された排水用トラップの断面図である。図６において、１０１は管体、１０２は排水流入部、１０３は排水流出部、１０４は取付台、１０５は取付台１０４に取り付けられる回動可能な弁本体、１０６は弁本体１０５の回動中心となる支軸、１０７はバランスウェイト、１０８は着脱可能なキャップである。
【０００３】
また、図７は、特許文献２に記載された排水用トラップの断面図である。図７において、１１１は管体、１１２は排水流入部、１１３は排水流出部、１１４はフランジ、１１５は遮蔽板、１１６は遮蔽板１１５の開口部に取り付けられる回動可能な弁本体、１１７は弁本体１１６の回動中心となる支軸、１１８はバランスウェイトである。
【先行技術文献】
【特許文献】
【０００４】
【特許文献１】特許第５３４８５４３号公報（請求項１、図１等）
【特許文献２】特許第６２７９４５１号公報（請求項１、図７等）
【考案の概要】
【考案が解決しようとする課題】
【０００５】
これらの排水用トラップは、何れも空調機や厨房機器等の排水管の途中に設置されて一方向の排水を可能にするほか、汚水による悪臭や虫・小動物が排水元へ侵入するのを阻止する機能を備えている。
しかしながら、何れの構造も、排水流出部１０３，１１３が水平方向に配置されて排水する、いわゆる横置き型の排水用トラップであるため、適用される排水管の配置や構造が限定されてしまうという問題があった。
また、弁本体１０５，１１６に別部品のバランスウェイト１０７，１１８をそれぞれ取り付ける必要があるので、部品数が多くなり、組立作業の煩雑化や高コスト化を招いていた。
【０００６】
そこで、本考案の解決課題は、水平方向に排水する横置き型と垂直方向に排水する縦置き型との両方の排水管に適用することができ、しかも、部品数が少なく低コストにて製造可能な防臭・防虫逆止弁を提供することにある。
【課題を解決するための手段】
【０００７】
上記課題を解決するため、請求項１に係る考案は、流入側排水管と流出側排水管との間に接続されるほぼ筒状の本体ケースと、この本体ケースの内部に配置されて前記流入側排水管からの排水を前記流出側排水管方向へ流すように形成された回動可能な弁本体と、前記本体ケースに取り付けられて前記弁本体を着脱可能とするカバーと、を備え、
前記弁本体により、前記流出側排水管から前記流入側排水管に向かう方向の悪臭や虫・小動物の侵入を阻止する機能を備えた防臭・防虫逆止弁において、
前記流入側排水管及び前記流出側排水管の配置に応じて、前記本体ケースの軸心が水平方向を向く横置き型または前記軸心が垂直方向を向く縦置き型の何れにも適用可能とし、
かつ、少なくとも前記本体ケース及び前記カバーを透明の合成樹脂により形成したことを特徴とする。
【０００８】
請求項２に係る考案は、請求項１に記載した防臭・防虫逆止弁において、前記弁本体は、回動の中心となる支持軸を有する基部と、この基部に連設された舌部と、を備え、前記基部は肉抜き用の通孔を有することを特徴とする。
【０００９】
請求項３に係る考案は、請求項１または２に記載した防臭・防虫逆止弁において、前記流入側排水管から流入する排水が当たる前記舌部の一面の全周に、リブを形成したことを特徴とする。
また、請求項４に係る考案は、請求項３に記載した防臭・防虫逆止弁において、前記舌部の一面の反対側の面の下端部に、補強用の別のリブを形成したことを特徴とする。
【考案の効果】
【００１０】
本考案によれば、接続する排水管の配置方向（水平方向、垂直方向）に応じて横置き型または縦置き型の逆止弁として使用することができ、水平方向または垂直方向に排水を流す両方向の排水管路に適用することができる。
また、本体ケース及びカバーを透明に形成することにより、本体ケース内面や弁本体の汚染状態を外部から容易に視認できるため、点検作業が容易になる。
更に、カバーを取り外せば、弁本体の交換や本体ケース内部の清掃を容易に行うことができると共に、全体の部品数も少ないため、組み立て作業の容易化、コストの低減が可能である。
【図面の簡単な説明】
【００１１】
【図１】本考案の実施形態の分解斜視図である。
【図２】本考案の実施形態の使用状態を示す斜視図である。
【図３】本考案の実施形態の平面図である。
【図４】図３のＡ−Ａ断面図である。
【図５】本考案の実施形態における弁本体の正面図（図５（ａ））、右側面図（図５（ｂ））、背面図（図５（ｃ））、Ｂ−Ｂ断面図（図５（ｄ））である。
【図６】特許文献１に記載された排水用トラップの断面図である。
【図７】特許文献２に記載された排水用トラップの断面図である。
【考案を実施するための形態】
【００１２】
以下、図に沿って本考案の実施形態を説明する。
図１は、この実施形態に係る防臭・防虫逆止弁の分解斜視図である。図１において、１は筒状の本体ケースであり、胴部４の軸方向両端には円筒状の排水流入部２と排水流出部３とがそれぞれ配置されている。また、排水流入部２及び排水流出部３と胴部４との各境界部には、本体ケース１を配置する際にこれを支持または位置決めするための支持板２ａ，３ａがそれぞれ突設されている。
【００１３】
胴部４の側面には窓部５が形成されており、弁本体６が上記窓部５を介して胴部４の内部に収容される。なお、弁本体６は、保持枠７により支持軸６ａを中心として回動可能であり、これらの保持枠７と弁本体６とは一体として窓部５から胴部４の内部に収容され、取り付けられるようになっている。
【００１４】
弁本体６は樹脂製であり、基部６ｂと舌部６ｃとが一体的に形成されている。基部６ｂには、肉抜き用の通孔６ｄが互いに平行に多数形成されており、これらの通孔６ｄによって基部６ｂの軽量化を図っている。舌部６ｃは、正面から見てほぼホームベース形の平板状に形成されている。
また、８は前述した窓部５に適合する形状のカバーであり、カバー固定部９及びねじ１０を用いて窓部５近傍の取付部５ａに固定されるようになっている。
なお、本体ケース１及びカバー８は透明の合成樹脂により形成されているが、図１では便宜的にこれらの透明表示を省略している。
【００１５】
ここで、本体ケース１、弁本体６、保持枠７、カバー８等の材料には、排水の水質や排水管を通過するアンモニアガス等の特性、周囲温度等を考慮したうえで、耐薬品性、耐オゾン性、耐腐食ガス性、及び耐候性を有する合成樹脂を使用することが望ましい。
【００１６】
図２は、本実施形態の防臭・防虫逆止弁を空調機や厨房機器等の排水管に接続した状態を示す斜視図である。図において、５２は排水流入部２に挿入される流入側排水管、５３は排水流出部３に挿入される流出側排水管である。
これらの排水管５２，５３は、その軸心が水平方向または垂直方向の何れでも良く、言い換えれば、この防臭・防虫逆止弁は横置き型、縦置き型の何れの状態でも使用可能となっている。
【００１７】
次いで、図３は本実施形態の防臭・防虫逆止弁の平面図、図４は図３のＡ−Ａ断面図である。
図３に示すように、弁本体６の舌部６ｃの幅は本体ケース１の胴部４の内径より僅かに狭く形成されており、これによって支持軸６ａを中心とした弁本体６の円滑な回動を可能にし、かつ、排水流出部３側から排水流入部２側へ排水が逆流したり、悪臭や虫・小動物が侵入するのを防止している。
【００１８】
また、図４に示すごとく排水流入部２、排水流出部３を上下に配置して縦置き型として使用する場合には、弁本体６の基部６ｂの自重が矢印ｘ方向に働くことによって舌部６ｃの周縁部が本体ケース１の胴部４の内面に押し付けられ、舌部６ｃと胴部４の内面との間に隙間が生じないように考慮されている。
なお、排水流入部２、排水流出部３を水平に配置して横置き型として使用する場合には、舌部６ｃの自重が矢印ｙ方向に作用することによって舌部６ｃと胴部４の内面との間に隙間が生じることはなく、縦置き型として使用する場合と同様に、排水流出部３側から排水流入部２側へ排水が逆流し、あるいは排水元へ悪臭や虫・小動物が侵入する等のおそれはない。
【００１９】
次に、図５（ａ）は弁本体６の正面図、図５（ｂ）は右側面図、図５（ｃ）は背面図、図５（ｄ）は図５（ａ）のＢ−Ｂ断面図である。
図５（ｃ），（ｄ）に示すように、舌部６ｃの裏面ほぼ全周には若干の高さを有するリブ６ｅが形成されている。舌部６ｃの裏面は、排水流入部２から流入した排水が直接当たる面であり、この裏面のほぼ全周にリブ６ｅを設けることで、排水の圧力を舌部６ｃの中央部に集中させて弁本体６を確実に回動させ、流入した排水を排水流出部３側に速やかに通過させる効果がある。また、リブ６ｅは舌部６ｃの補強にも有効である。
【００２０】
更に、図５（ａ），（ｂ）から明らかなように、舌部６ｃの表面下端部には正面から見てほぼＶ字状のリブ６ｆが形成されている。
このリブ６ｆも、上記リブ６ｅと同様に舌部６ｃを補強するために設けられている。
【００２１】
以上説明したように、本実施形態によれば、排水管５２，５３の配置や構造に応じて横置き型または縦置き型の逆止弁として使用することができ、防臭・防虫逆止弁の汎用性を高めることができる。
また、少なくとも本体ケース１及びカバー８を透明の合成樹脂にて形成することにより、本体ケース１の内面や弁本体６の汚染・劣化状態を外部から視認できるので、点検作業が容易である。
更に、カバー８を取り外せば、弁本体６の交換や本体ケース内部の清掃を簡単に行うことができると共に、全体の部品数も少ないことから、組立作業の容易化、コストの低減が可能である。
【符号の説明】
【００２２】
１：本体ケース
２：排水流入部
２ａ：支持板
３：排水流出部
３ａ：支持板
４：胴部
５：窓部
５ａ：取付部
６：弁本体
６ａ：支持軸
６ｂ：基部
６ｃ：舌部
６ｄ：通孔
６ｅ，６ｆ：リブ
７：保持枠
８：カバー
９：カバー固定部
１０：ねじ
５２：流入側排水管
５３：流出側排水管
【図１】
0003223343.tif 000003
【図２】
0003223343.tif 000004
【図３】
0003223343.tif 000005
【図４】
0003223343.tif 000006
【図５】
0003223343.tif 000007
【図６】
0003223343.tif 000008
【図７】
0003223343.tif 000009